【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
同相（Ｉ）信号と直交（Ｑ）信号とを受信するように構成されるインターリーバと、
前記インターリーバに結合される分配回路と、
各々が前記分配回路に結合される複数の電力増幅器（ＰＡ）と、
複数の一次巻線と二次巻線とを有する変圧器と、
を含む装置であって、
各一次巻線が前記ＰＡの少なくとも１つに結合され、前記分配回路が、前記変圧器でフィルタ応答を発生するように前記インターリーバの出力と各ＰＡとの間に複数の遅延の少なくとも１つを導入し、
前記分配回路が、
各々が前記ＰＡの少なくとも１つに結合される複数のチャネルと、
複数の遅延回路と、
を更に含み、
各遅延回路が前記チャネルの少なくとも２つの間に結合される、装置。
【請求項２】
請求項１に記載の装置であって、
前記複数のチャネルが、互いにインターリーブされる第１のセットのチャネルと第２のセットのチャネルとを更に含み、前記第２のセットのチャネルからの各チャネルがインバータを更に含む、装置。
【請求項３】
請求項２に記載の装置であって、
前記インターリーバが、
前記Ｉ信号と第１のインターリーブ信号とを受信するように構成される第１のミキサと、
前記Ｑ信号と第２のインターリーブ信号とを受信するように構成される第２のミキサと、
前記第１のミキサと前記第２のミキサと前記分配回路とに結合されるコンバイナと、
を更に含む、装置。
【請求項４】
請求項３に記載の装置であって、
前記変圧器の前記二次巻線に結合されるバンドパスフィルタを更に含む、装置。
【請求項５】
請求項４に記載の装置であって、
前記第１及び第２のインターリーブ信号が９０度位相がずれている、装置。
【請求項６】
Ｉ及びＱ信号を受け取ることと、
時間インターリーブされた信号を発生するように前記Ｉ及びＱ信号をインターリーブすることと、
前記時間インターリーブされた信号から複数の遅延された時間インターリーブされた信号を発生することと、
複数の増幅された信号を発生するように前記遅延された時間インターリーブされた信号の各々を増幅することと、
前記増幅された信号を変圧器と組み合わせることであって、前記遅延された時間インターリーブされた信号が前記変圧器でフィルタ応答を発生するように配される、前記組み合わせることと、
を含む方法であって、
前記発生する工程が、
前記複数の遅延された時間インターリーブされた信号から第１の遅延された時間インターリーブされた信号を発生するために前記時間インターリーブされた信号を第１の量遅延させることと、
前記複数の遅延された時間インターリーブされた信号から第２の遅延された時間インターリーブされた信号を発生するために前記時間インターリーブされた信号を第２の量遅延させることであって、前記第２の量が前記第１の量と所定の遅延との和である、前記第２の量遅延させることと、
前記複数の遅延された時間インターリーブされた信号から第３の遅延された時間インターリーブされた信号を発生するために前記時間インターリーブされた信号を第３の量遅延させることであって、前記第３の量が前記第２の量と前記所定の遅延との和である、前記第３の量遅延させることと、
前記複数の遅延された時間インターリーブされた信号から第４の遅延された時間インターリーブされた信号を発生するために前記時間インターリーブされた信号を第４の量遅延させることであって、前記第４の量が前記第３の量と前記所定の遅延との和である、前記第４の量遅延させることと、
を更に含む、方法。
【請求項７】
請求項６に記載の方法であって、
前記インターリーブする工程が、
前記Ｉ信号を第１のインターリーブ信号とミキシングすることと、
前記Ｑ信号を第２のインターリーブ信号とミキシングすることと、
前記時間インターリーブされた信号を発生するために前記ミキシングされたＩ及びＱ信号を組み合わせることと、
を更に含む、方法。
【請求項８】
請求項７に記載の方法であって、
前記ミキシングする工程と前記ミキシングされたＩ及びＱ信号を組み合わせる工程とが、
前記第１及び第２のインターリーブ信号の第１の期間の間に前記Ｉ信号を出力することと、
前記第１及び第２のインターリーブ信号の第２の期間の間に前記Ｑ信号を出力することと、
前記第１及び第２のインターリーブ信号の第３の期間の間に前記Ｉ信号の逆を出力することと、
前記第１及び第２のインターリーブ信号の第４の期間の間に前記Ｑ信号の逆を出力することと、
を更に含む、方法。
【請求項９】
請求項８に記載の方法であって、
前記時間インターリーブされた信号を前記第２の量遅延させる工程と前記時間インターリーブされた信号を前記第４の量遅延させる工程とが、
前記第２の遅延された時間インターリーブされた信号を発生するために前記時間インターリーブされた信号を前記第２の量遅延させて反転させることと、
前記第３の遅延された時間インターリーブされた信号を発生するために前記時間インターリーブされた信号を前記第４の量遅延させて反転させることと、
を更に含む、方法。
【請求項１０】
Ｉ信号とＱ信号とを受信するように構成されるインターリーバと、
第１、第２、第３及び第４の遅延された時間インターリーブされた信号を発生するように前記インターリーバに結合される分配回路と、
前記第１の遅延された時間インターリーブされた信号を受け取るように前記分配回路に結合される第１のＰＡと、
前記第２の遅延される時間インターリーブされた信号を受け取るように前記分配回路に結合される第２のＰＡと、
前記第３の遅延された時間インターリーブされた信号を受け取るように前記分配回路に結合される第３のＰＡと、
前記第４の遅延された時間インターリーブされた信号を受け取るように前記分配回路に結合される第４のＰＡと、
第１の一次巻線と第２の一次巻線と第３の一次巻線と第４の一次巻線と二次巻線とを有する変圧器と、
を含む装置であって、
前記第１の一次巻線が前記第１のＰＡに結合され、前記第２の一次巻線が前記第２のＰＡに結合され、前記第３の一次巻線が前記第３のＰＡに結合され、前記第４の一次巻線が前記第４のＰＡに結合され、前記第１、第２、第３及び第４の遅延された時間インターリーブされた信号が、前記変圧器でフィルタ応答を生成するように導入される、装置。
【請求項１１】
請求項１０に記載の装置であって、
前記分配回路が、
前記インターリーバと前記第１のＰＡとの間に結合される第１のチャネルと、
前記インターリーバに結合される第１の遅延回路と、
前記第１の遅延回路と前記第２のＰＡとの間に結合される第２のチャネルと、
前記第１の遅延回路に結合される第２の遅延回路と、
前記第２の遅延回路と前記第３のＰＡとの間に結合される第３のチャネルと、
前記第２の遅延回路に結合される第３の遅延回路と、
前記第３の遅延回路と前記第４のＰＡとの間に結合される第４のチャネルと、
を更に含む、装置。
【請求項１２】
請求項１１に記載の装置であって、
前記第２及び第４のチャネルがそれぞれ第１及び第２のインバータを更に含む、装置。
【請求項１３】
請求項１２に記載の装置であって、
前記インターリーバが、
前記Ｉ信号と第１のインターリーブ信号とを受信するように構成される第１のミキサと、
前記Ｑ信号と第２のインターリーブ信号とを受信するように構成される第２のミキサと、
前記第１のミキサと前記第２のミキサと前記分配回路とに結合されるコンバイナと、
を更に含む、装置。
【請求項１４】
請求項１３に記載の装置であって、
前記変圧器の前記二次巻線に結合されるバンドパスフィルタを更に含む、装置。
【請求項１５】
請求項１４に記載の装置であって、
前記第１及び第２のインターリーブ信号が９０度位相がずれてる、装置。